(57)【要約】【課題】通常の状態では、特定のインクを用いて印字したメンテナンス情報を読み取ることができず、特定の光を照射したときのみ前記インクが発光してメンテナンス情報をよみとることのできるようにする。【解決手段】本発明は、機器本体の視認できる面にインクでメンテナンス情報が印字された情報付き機器である。その特徴とするところは、前記インクに蓄光性を有するものを用い、印字された文字は光を照射したとき、該光によって一定時間だけ読み取り可能な程度に発光し、光を照射しないときは読み取りが不可能である。そのため、メンテナンス作業者は、機器類の所定箇所に紫外線等の光を照射するだけで、蓄光性インクで印字されたメンテナンス情報を読み取ることができ、別途、メンテナンス情報を記録した書類を携帯持参し、調査・照合する等の面倒な作業は不要である。【選択図】  図２
2004211474.tif 000002
【特許請求の範囲】
【請求項１】
機器本体の視認できる面にインクでメンテナンス情報が印字された情報付き機器であって、前記インクに蓄光性を有するものを用い、印字された文字は光を照射したとき、該光によって一定時間だけ読み取り可能な程度に発光し、光を照射しないときは読み取りが不可能であることを特徴とするメンテナンス情報付き機器。
【発明の詳細な説明】
【０００１】
【発明の属する技術分野】
本発明は、通常の状態では、特定のインクを用いて印字したメンテナンス情報を読み取ることができず、光を照射したときのみ前記インクが発光してメンテナンス情報をよみとることのできる技術に関するものである。
【０００２】
【従来の技術】
通常、機器類のメンテナンス情報は、当該機器の説明書やマニュアルブック等とは別の書類に記載され、運用されていた。
【０００３】
また従来において、衛生洗浄装置の異常箇所を検出し、これを表示する技術として特許文献１に記載されたものがある。この特許文献１に記載された技術にあっては、衛生洗浄装置を構成する複数の電気部品からの正常時と異常時のそれぞれの入力信号を比較して、異常電気部品を検出したうえ記憶している。そして、異常点検時に、複数のスイッチの組み合わせ操作によって複数の表示灯に対応して前記電気部品の異常を表示するようにしている。
【０００４】
一方、特許文献２には、蛍光筆記具を用いて暗闇でもメモをとることのできる技術が開示されている。この特許文献２に記載された技術にあっては、ペーパーホルダーに蛍光筆記具で文字等を描き、これに紫外線ＬＥＤからの紫外線を照射することにより文字等を発光させている。これにより、描いた文字等をイルミネーション及びインテリアとして利用することができ、また暗闇でもペーパーホルダーに対して文字等を描くことが可能である。
【０００５】
【特許文献１】
特開平１１ー２４７２６４号公報
【特許文献２】
特開２００２ー９６５９０号公報
【０００６】
【発明が解決しようとする課題】
メンテナンス情報を機器の説明書等とは別の書類に記載、運用する従来の一般的なメンテナンス手法にあっては、当該機器のメンテナンス時に、書類を携帯持参して対象機器ごとに書類を調査・照合する必要があった。
【０００７】
また特許文献１に記載された従来技術にあっては、現在の故障状況を複雑なスイッチ操作で点灯表示させるものであって、製造番号やロット番号等の製造に関する情報及び過去のメンテナンス履歴等は依然としてこれらを記載した書類によらならればならず、メンテナンス時に当該書類を携帯持参して対象機器ごとに書類を調査・照合する必要があった。
【０００８】
また特許文献２に記載された従来技術にあっては、蛍光筆記具でペーパーホルダーに描いた文字等をイルミネーション及びインテリアとして利用するものであり、また暗闇でもメモを取ることができるようにしたものであって、メンテナンス情報等を表示する特殊な使用形態とは異なるものである。
【０００９】
本発明は従来の前記課題に鑑みてこれを改良除去したものであって、通常の状態では、特定のインクを用いて印字したメンテナンス情報を読み取ることができず、特定の光を照射したときのみ前記インクが発光してメンテナンス情報をよみとることのできるようにしたものである。
【００１０】
【課題を解決するための手段】
前記課題を解決するために本発明が採用した請求項１の手段は、機器本体の視認できる面にインクでメンテナンス情報が印字された情報付き機器であって、前記インクに蓄光性を有するものを用い、印字された文字は光を照射したとき、該光によって一定時間だけ読み取り可能な程度に発光し、光を照射しないときは読み取りが不可能であることを特徴とするメンテナンス情報付き機器である。
蓄光性のインクは、通常の状態では、発光しておらず、視認することが不可能である。これに対して、紫外線等の光を照射したときのみ一定時間だけ読み取り可能な程度に発光する。従って、メンテナンス作業者は、機器類の所定箇所に紫外線等の光を照射するだけで、蓄光性インクで印字されたメンテナンス情報を読み取ることができ、別途、書類を携帯持参し、調査・照合する等の面倒な作業は不要である。
【００１１】
【発明の実施の形態】
以下に、本発明の構成を図面に示す発明の実施の形態に基づいて説明すると次の通りである。図１及び図２は本発明を洋風便器１へ適用した実施の形態に係るものであり、図１は通常の使用状態で便蓋２を開放した状態を示す斜視図、図２はメンテナンス時に便蓋２を開放した状態を示す斜視図である。洋風便器１は、便器本体３、洗浄水タンク４、暖房便座５及び便蓋２、図示しない局部洗浄装置とからなる。
【００１２】
同図に示す如く、この実施の形態にあっては、予め、蓄光性を有するインクを用いて粘着シート６に暖房便座５及び局部洗浄装置等のメンテナンス情報を印刷している。メンテナンス情報としては、例えば、製造年月日、製造番号、ロット番号、メンテナンス方法（点検方法、部品の交換方法等）やメンテナンス履歴（保守点検日、交換した部品及び消耗品等）等がある。また蓄光性を有するインクとしては、アルミン酸塩蛍光体、硫化物蛍光体又は酸硫化物蛍光体といった長残光性蛍光体を顔料としたインクがある。
【００１３】
このようにして蓄光性を有するインクによってメンテナンス情報が印刷された粘着シート６は、図１に示すように、便蓋２の下面側に貼着されて使用される。通常の使用状態では、蓄光性を有するインクは発光しないため、印刷されたメンテナンス情報を読み取ることは不可能である。ところが、メンテナンスに際し、図２に示すように、作業員が紫外線ＬＥＤ７から前記シート６へ紫外線を照射すると、これに印字された蓄光性を有するインクが所定時間だけ発光し、これを表示するようになる。なお、蓄光性を有するインクで直接便蓋２等の機器へ印刷してメンテナンス情報を記すようにすることも可能である。
【００１４】
照射する光は、紫外線のように特定のものであってもよく、また通常の蛍光灯や電球等からのものであってもよい。なお、参考までに説明すると、蓄光性インクとして、長残光性蛍光体を顔料としたインクを用いて文字を樹脂製シートに印字した場合において、照射エネルギー及び時間は、ＪＩＳ  Ｚ  ８７１６  常用光源蛍光ランプＤ６５により、１０００Ｌ×５分程度で、文字を継続して５分以上解読可能な程度に発光させることができた。
【００１５】
従って、メンテナンス作業員は、紫外線ＬＥＤ７からシート６へ紫外線を照射するだけで、シート６へ印字したメンテナンス情報を読み取ることができ、メンテナンス情報を記録した書類を持ち歩く必要はない。また蓄光性を有するインクを用いて新たなメンテナンス履歴をシートに印刷して接着し、これを便座２等のメンテナンス対象機器へ接着して記録することも可能である。
【００１６】
ところで、本発明は上述した実施の形態に限定されるものではなく、適宜の変更が可能である。例えば、蓄光性を有するインクで印字したメンテナンス情報を発光させるための光は、特定の光である紫外線であってもよく、通常の蛍光灯の光であってもよく、電球であってもよい。また対象となる機器は、洋風大便器や便座、ロータンク以外にも小便器、石油給湯器、温風ファンヒータ、自動水栓等のあらゆる設備機器が適用可能である。
【００１７】
【発明の効果】
以上説明したように本発明にあっては、機器本体の視認できる面にインクでメンテナンス情報が印字された情報付き機器であって、前記インクに蓄光性を有するものを用い、印字された文字は光を照射したとき、該光によって一定時間だけ読み取り可能な程度に発光し、光を照射しないときは読み取りが不可能である。そのため、メンテナンス作業者は、機器類の所定箇所に紫外線等の光を照射するだけで、蓄光性インクで印字されたメンテナンス情報を読み取ることができ、別途、メンテナンス情報を記録した書類を携帯持参し、調査・照合する等の面倒な作業は不要である。また蓄光性のインクは、通常の状態では、発光しておらず、視認することが不可能であり、対象となる機器の意匠性を損なうことがない。
【図面の簡単な説明】
【図１】本発明の一実施の形態に係るものであり、通常の使用状態で便蓋を開放した状態を示す斜視図である。
【図２】本発明の一実施の形態に係るものであり、メンテナンス時に便蓋を開放した状態を示す斜視図である。
【符号の説明】
１…洋風便器、２…便蓋、３…便器本体、４…洗浄水タンク、５…便座、６…
シート、７…紫外線ＬＥＤ
【図１】
2004211474.tif 000003
【図２】
2004211474.tif 000004